(57)【要約】【課題】  ミストサウナ運転開始時の浴室温度に対するミスト噴霧温度の調整を行なうことにより、快適で且つ安心してミストサウナ浴を楽しむことができる入浴環境を短時間で得られるようにしたミストサウナ装置を提供すること。【解決手段】  浴室温度を検知する浴室温度センサと、浴室温度を設定温度に調整する手段と、ミスト噴霧温度を調整する手段とを備えると共に、ミストサウナ運転開始時に前記浴室温度センサで検知される浴室温度が所定温度以下の場合のみ、通常の室温制御に用いるミスト噴霧の温度範囲より高温のミスト噴霧を行なうホットダッシュ運転モードを実行する制御部４を備えたミストサウナ装置である。【選択図】        図１
2007061413.tif 000002
【特許請求の範囲】
【請求項１】
給水路からの水を加熱手段により加熱してミスト噴霧手段から浴室内にミスト状に噴霧するようにしたミストサウナ装置において、浴室温度を検知する浴室温度センサと、浴室温度を設定温度に調整する手段と、ミスト噴霧温度を調整する手段とを備えると共に、ミストサウナ運転開始時に前記浴室温度センサで検知される浴室温度が所定温度以下の場合のみ、通常の室温制御に用いるミスト噴霧の温度範囲より高温のミスト噴霧を行なうホットダッシュ運転モードを実行する制御部を備えてなることを特徴とするミストサウナ装置。
【請求項２】
前記制御部は、浴室温度が設定温度に達した時点、或いは所定時間が経過した時点のいずれかでホットダッシュ運転モードを終了させることを特徴とする請求項１記載のミストサウナ装置。
【請求項３】
前記ミスト噴霧温度を調整する手段は、熱源機からの温水を一次側水路に循環させて二次側水路を通過する水を温水にする液々熱交換器と、一次側水路への温水量を調整することで二次側水路からミストノズルに供給される温水温度を高温とすることができる水比例弁とを備えており、前記浴室温度を設定温度に調整する手段として、前記ミスト噴霧温度を調整する手段と、熱源機からの温水を空調用熱交換器に供給し、循環ファンにより吸い込んだ浴室内の空気を空調用熱交換器により加熱して浴室内に温風として吹き出す暖房機本体とを備えており、ミストサウナ運転時にミスト噴霧温度を調整すると共に浴室内への温風の吹き出しを調整することで、浴室温度を設定温度に調整することを特徴とする請求項１又は請求項２記載のミストサウナ装置。
【請求項４】
前記ホットダッシュ運転モードを実行する時の浴室温度が約１５℃以下であり且つミスト噴霧温度が約７０℃であり、通常の室温制御に用いるミスト噴霧温度の範囲が約６５℃以下の温度領域であることを特徴とする請求項１乃至請求項３のいずれかに記載のミストサウナ装置。
【発明の詳細な説明】
【技術分野】
【０００１】
本発明は、例えば家庭内の浴室に設置され、ミストを発生させるためのミストサウナ装置に関するものである。
【背景技術】
【０００２】
従来、健康増進や、肉体的精神的な疲労緩和等として、ミストサウナ浴が非常に効果的であるが、このミストサウナ浴を、家庭の浴室内において気軽に楽しむことができるように、浴室に設置するだけで浴室をミストサウナ室として利用することができるミストサウナ装置が特許文献１により周知である。
【０００３】
従来では、ミスト噴霧が熱くて不快感を感じたり或いはやけどをしないようにするため、ミスト噴霧温度の上限温度を制限していた。このため、特に冬の寒い季節では浴室を温めるのに時間がかかり、入浴準備時間が長くなるという問題がある。
【０００４】
なお、高温のミスト噴霧を可能として、入浴前にリモコン操作で高温のミスト噴霧を行なうことにより、急速に浴室温度を上げ、その後、リモコン操作でミスト噴霧温度を下げてから、浴室に入るような使い方も考えられるが、操作が煩わしい上に、使い方を間違えやすく、安全性に欠ける点で採用できないものである。
【０００５】
このため、快適で且つ安心してミストサウナ浴を楽しむことができる入浴環境を短時間で得るためには、特にミストサウナ運転開始時の浴室温度に対するミスト噴霧温度の調整がきわめて重要な課題となる。
【特許文献１】特開２００３−３３４２３０号公報
【発明の開示】
【発明が解決しようとする課題】
【０００６】
本発明は上記の従来の問題点に鑑みて発明したものであって、ミストサウナ運転開始時の浴室温度に対するミスト噴霧温度の調整を行なうことにより、快適で且つ安心してミストサウナ浴を楽しむことができる入浴環境を短時間で得られるようにしたミストサウナ装置を提供することを課題とするものである。
【課題を解決するための手段】
【０００７】
前記課題を解決するために本発明は、給水路からの水を加熱手段により加熱してミスト噴霧手段から浴室１０内にミスト状に噴霧するようにしたミストサウナ装置において、浴室温度を検知する浴室温度センサと、浴室温度を設定温度に調整する手段と、ミスト噴霧温度を調整する手段とを備えると共に、ミストサウナ運転開始時に前記浴室温度センサで検知される浴室温度が所定温度以下の場合のみ、通常の室温制御に用いるミスト噴霧の温度範囲より高温のミスト噴霧を行なうホットダッシュ運転モードを実行する制御部４を備えてなることを特徴としている。
【０００８】
このような構成とすることで、制御部４はミストサウナ運転開始時に浴室温度が所定温度よりも低い場合のみホットダッシュ運転モードを実行するので、特に冬の寒い季節でも浴室１０をスピーディに温めることができ、入浴準備時間を短くでき、また、浴室温度が設定温度よりも高い場合はホットダッシュ運転モードは行なわないので、人体にかかるミストや水滴の温度が高くなることがなく、従って、入浴者が熱さや不快感を感じたり、やけどの心配がなくなると共に、リモコン操作でミスト噴霧温度を上げたり、下げたりする必要がないため、操作性に優れ且つ安全性を十分に確保できるようになる。
【０００９】
また、前記制御部４は、浴室温度が設定温度に達した時点、或いは所定時間が経過した時点のいずれかでホットダッシュ運転モードを終了させることを特徴とするのが好ましく、この場合、より確実に、入浴者が熱さや不快感を感じないようにすることができる。
【００１０】
また、前記ミスト噴霧温度を調整する手段は、熱源機６からの温水を一次側水路に循環させて二次側水路を通過する水を温水にする液々熱交換器１１と、一次側水路への温水量を調整することで二次側水路からミストノズルに供給される温水温度を高温とすることができる水比例弁１４とを備えており、前記浴室温度を設定温度に調整する手段として、前記ミスト噴霧温度を調整する手段と、熱源機６からの温水を空調用熱交換器３３に供給し、循環ファン２２により吸い込んだ浴室１０内の空気を空調用熱交換器３３により加熱して浴室１０内に温風として吹き出す暖房機本体１とを備えており、ミストサウナ運転開始後にミスト噴霧温度を調整すると共に浴室１０内への温風の吹き出しを調整することで、浴室温度を設定温度に調整することを特徴とするのが好ましく、この場合、温風とミスト噴霧とを併用したミストサウナに対して有効となり、しかも浴室１０を温風にて加熱するので、少量の高温ミストでも、浴室温度を効率良く高めることが可能となる。
【００１１】
また、前記ホットダッシュ運転モードを実行する時の浴室温度が約１５℃以下であり且つミスト噴霧温度が約７０℃であり、通常の室温制御に用いるミスト噴霧温度の範囲が約６５℃以下の温度領域であることを特徴とするのが好ましく、この場合、ホットダッシュ運転モードにより１５℃以下の寒い浴室１０を約７０℃の高温ミストでよりスピーディに温めることができ、浴室温度が高くなった後は６５℃以下の低温ミストに切り替わることで、入浴者は安心して快適にミストサウナ浴を楽しむことができる。
【発明の効果】
【００１２】
本発明に係るミストサウナ装置は、入浴者に熱さや不快感を感じさせることがなく、やけどの心配がないように、ミストサウナ運転開始時の浴室温度に対するミスト噴霧温度の調整を行なうので、快適で且つ安心してミストサウナ浴を楽しむことができる入浴環境を短時間で得ることができると共に、リモコン操作でミスト噴霧温度を上げたり、下げたりする必要がないため、操作性に優れ且つ安全性を十分に確保できるものである。
【発明を実施するための最良の形態】
【００１３】
以下、本発明を添付図面に示す実施形態に基いて説明する。
【００１４】
本例のミストサウナ装置２５は、図２に示すように、浴室１０の天井部に設置されている。浴室１０の外部には給湯機能付き熱源機６が設置され、浴室１０内部の壁にはワイヤレスの浴室リモコン１９が設置され、さらに脱衣室の壁には脱衣室リモコン３５が設置されている。
【００１５】
浴室リモコン１９には、例えば運転モード、温度、風量、風向き、入浴時間のそれぞれの表示部、及び、ミストサウナ運転開始を指令するミストサウナスイッチ、ミスト強弱を切り替えるミスト強弱スイッチ、目標となる設定温度（例えば３８℃〜４６℃）を設定する温度設定スイッチ、暖房スイッチ、涼風スイッチ、風向スイッチ、停止スイッチ、入浴時間をカウントするスタート／ストップスイッチ、リセットスイッチ等が設けられている。なお脱衣室リモコン３５にも同様な操作部が設けられる。これにより脱衣室リモコン３５で入浴前運転の操作を行ない、浴室リモコン１９で入浴中運転の調整を行なえるようになる。
【００１６】
前記ミストサウナ装置２５は、図１に示すように、浴室１０内に温風Ｎを供給する暖房機本体１と、温水をミストＭにして噴霧するミスト噴霧ユニット２と、暖房機本体１とミスト噴霧ユニット２とを制御する制御部４（図１０）とを備えている。本例では暖房機本体１を収納する暖房機本体ボックス１ａと、ミストユニットボックス３とに分離され、暖房機本体ボックス１ａの上にミストユニットボックス３を搭載した状態で互いに結合されている。
【００１７】
前記暖房乾燥機ボックス１ａ内には、循環ファン２２と、循環ファン２２にて循環通風路５に通風される空気を加熱する空調用熱交換器３３と、浴室温度センサを構成する浴室サーミスタ１６とが配置されている。本例では空調用熱交換器３３の熱交換効率を高めるために、縦型熱交換部３３ａと横型熱交換部３３ｂとに分割して隣接配置されていると共に、温水循環路７の往路７ａが２つの熱交換部３３ａ、３３ｂの入側にそれぞれ接続され、各熱交換部３３ａ、３３ｂの出側が２つの温水循環路７の復路７ｂにそれぞれ接続されている。また温水循環路７の往路７ａは熱源機６の温水吐出側の温水供給側継手２０に接続されており、温水循環路７の復路７ｂは熱源機６の回収側の温水戻り側継手２１に接続されている。
【００１８】
ここで、前記温水循環路７の往路７ａには、温水循環路７を開閉する熱動弁８と、温水温度を検知する温水サーミスタ９とが配置されている。温水サーミスタ９で検知される温水温度は、空調用熱交換器３３及び後述する液々熱交換器１１を加熱する温水の温度であり、この温度に応じて後述のように循環ファン２２のＯＮ動作、ミスト電磁弁１５の開閉動作が行なわれる。ここで循環ファン２２は、例えば水平軸心周りで回転して、空気の吸引と排気とをともに回転軸芯と直交する方向に沿って行うクロスフローファンにて構成され、回転軸芯方向のほぼ全幅にわたる広い範囲にわたって空調用熱交換器３３を通して浴室１０内の空気を吸引し、空調用熱交換器３３にて加熱された空気を温風吹き出し口３２から浴室１０に吹き出すように通風作用するように構成されている。なお換気用ファン３１は、例えば縦軸芯周りで回転して、ファンケースの下方側から空気を吸引して、暖房機本体ボックス１ａの横一側面に形成した排出口を通して排気ダクト３８（図２）に向けて空気を通風させるように構成されている。
【００１９】
一方、ミスト噴霧ユニット２は、給水継手２６を介して水道管３６（図２）に接続される給水路１２を開閉する給水電磁弁１７と、給水路１２から供給される水を熱源機６からの温水により加熱するための液々熱交換器１１と、この液々熱交換器１１で加熱された水をミスト状に噴霧する複数（例えば２つ）のミストノズル１３（１３ａ，１３ｂ）と、各ミストノズル１３を個別に開閉制御する一対のミスト電磁弁１５と、ミスト噴霧温度を検知するミスト温サーミスタ３０とを備えている。図１の例では液々熱交換器１１がミストユニットボックス３内に配置され、ミストノズル１３とミスト電磁弁１５とが暖房機本体ボックス１ａ内に配置されている。なおミストノズル１３ａ，１３ｂのミスト噴出量は例えば０．５リットル／ｍｉｎとされ、強運転は両方で噴出させ、弱運転は片方で噴出させる仕様となっている。
【００２０】
ここで、液々熱交換器１１は例えば複数の波板状の伝熱プレートを間隔をあけて積層配置したプレート式熱交換器で構成されている。液々熱交換器１１の一次側水路は給水路１２と連通し、二次側水路は温水分岐循環路２３と連通している。温水分岐循環路２３の上流には、温水の供給量を変更調整自在とする水比例弁１４を介して、前記熱動弁８よりも手前側の温水循環路７の往路７ａに接続され、温水分岐循環路２３の他端は前記温水循環路７の復路７ｂに接続されている。
【００２１】
また、給水路１２の液々熱交換器１１とミスト電磁弁１５との間には、排水路２４の一端が接続されている。排水路２４の他端は排水電磁弁１８を介して排水継手２７、排水管３７（図２）に接続されている。排水路２４は、例えば、ミストサウナ運転開始前に、ミスト電磁弁１５を閉じた状態で開かれるものであり、この排水路２４を通って液々熱交換器１１や給水路１２内に溜まっている水を外部に排水できるようになる。なお排水路２４は排水電磁弁１８に設けたバキュームブレーカー（図示せず）を介して大気流入路２９に連通しており、排水時に排水路２４内を大気圧状態とすることで、排水電磁弁１８から排水された汚れた水が排水路２４内への逆流を防いでいる。
【００２２】
前記浴室サーミスタ１６、温水サーミスタ９、ミスト温サーミスタ３０からの各検知信号は、マイクロコンピュータにより実現される制御部４（図１０）に送られる。制御部４は、ミストサウナ運転、涼風運転、暖房運転等の各種動作を行なう。
【００２３】
ミストサウナ運転における制御部の制御動作を、図４〜図８のフローチャート、及び図９のタイムチャートに示す。なお、図９のｔ１はミストサウナスイッチがＯＮ操作された時であり、ｔ２は温水温度が６０℃となったとき、ｔ３〜ｔ７はそれぞれ浴室温度（浴室サーミスタで検知された温度）を示し、ｔ３は２４℃以上、ｔ４は４２℃、ｔ５は４２℃以上、ｔ６は４８℃、ｔ７は４５℃以下であり、ｔ８はタイマーカウントアップ又は停止スイッチＯＮである。
【００２４】
先ず、浴室リモコン１９又は脱衣室リモコン３５で浴室温度を好みの温度に設定する。例えば３８℃、４０℃、４２℃、４４℃、４６℃の範囲で設定する。図９は浴室温度を４２℃に設定した場合を示す。
【００２５】
ミストサウナスイッチがＯＮ操作されると（図９のｔ１）、ミストサウナ運転の開始が指令され、リモコンのミストサウナ運転モードランプが点灯し、熱源機６を作動させ、熱動弁８と水比例弁１４を開弁させ、温風吹き出し口３２のルーバーを開く（ステップＮ１、Ｎ２、Ｎ３）。このとき前回のミストサウナ運転から１時間以上経過し且つミスト温サーミスタが４０℃以下を検出したときは、排水電磁弁１８及び給水電磁弁１７が開き、パージ運転を約３０秒間行なう（ステップＮ４〜Ｎ１１）。
【００２６】
その後、温水サーミスタ検出温度が６０℃以上となると（図９のｔ２）、循環ファン２２を回転させる（ステップＮ１５〜Ｎ１７）。これにより、浴室１０への温風Ｎの吹き出しが行なわれる。つまり、循環ファン２２の作動により浴室１０内の空気が吸気グリルのフィルター部を通り、暖房機本体１に吸い込まれ、空調用熱交換器３３を通り温風Ｎとなり、温風吹き出し口３２から浴室１０内に吹き出される。
【００２７】
その後、浴室サーミスタ検出温度が２４℃以上になると（図９のｔ３）、排水電磁弁１８を閉じ、給水電磁弁１７とミスト電磁弁１５とが開いてミストの噴霧を開始する（ステップＮ１２、Ｎ１３ａ、Ｎ１３ｂ、Ｎ１４）。またこれと並行してミスト温度設定を含む室温制御が行なわれる（ステップＮ２２〜Ｎ２６）。
【００２８】
ここにおいて、ミストサウナ運転開始時に浴室サーミスタ検出温度が１５℃以下である場合のみ、ミスト噴霧設定が７０℃に設定されてホットダッシュ運転モードを実行する（ステップＮ１８、Ｎ１９、Ｎ２０）。ホットダッシュ運転モードとは７０℃の高温ミストを浴室１０内に噴霧するモードである。
【００２９】
その後、浴室サーミスタ検出温度が４１℃［設定温度Ｔ１（４２℃）−１℃］になると（図９のｔ４）、ホットダッシュ運転モードを終了する（ステップＮ２２）。つまり浴室サーミスタ１６からの値を読み取り、浴室サーミスタ検出温度が設定温度Ｔ１に到達した時点でホットダッシュ運転モードを自動的に終了させる。なお安全管理を徹底するために、ホットダッシュ運転開始から３０分以内に浴室サーミスタ検出温度が設定温度Ｔ１に達しない場合は、３０分経過した時点でホットダッシュ運転モードを自動的に終了させる（ステップＮ２１）。
【００３０】
前記ホットダッシュ運転モードが終了すると、通常の室温制御におけるミスト噴霧の温度範囲（６５℃〜４５℃）でミストサウナ運転を実行する。本例のミストサウナ運転では、ミスト噴霧の温度範囲を例えば６５℃〜４５℃の範囲で段階的に調整可能とする。これにより、身体を暖め、多量の発汗を促し、疲労やストレスを解消し、爽快感を得、さらには血流促進、代謝亢進、場合によっては体重減少にも役立つ効果が得られるものである。
【００３１】
このミストサウナ運転は、浴室サーミスタ検出温度に応じて循環ファン２２の単位時間あたりの回転数を制御することで浴室温度を一定温度に制御するが、仮りに循環ファン２２の回転数を変化させても浴室サーミスタ検出温度が上昇していく場合は、水比例弁１４の開度を調節してミスト噴霧温度を段階的に変化させる。つまり、浴室温度が設定温度Ｔ１に達した後は、循環ファン２２の風量レベルを変化させることで、循環ファン２２による浴室温度の制御を行なう（図９のｔ５〜ｔ８、ステップＮ２３）。
【００３２】
一般的に、循環ファン２２の風量レベルを小さくしていくと、暖房出力は減少するが、吹き出し温度が上昇するため温風Ｎの熱が浴室１０内の天井付近にこもるようになる。そして、浴室サーミスタ１６は天井付近の温度を検知しているので、天井付近と入浴者のいる浴室１０下方付近の温度差を考慮して、設定温度より高い温度で風量レベルを段階的に絞り暖房出力を下げることで、入浴者のいる浴室１０下方付近の温度を結果的に設定温度にすることができる。そこで本例では温度偏差Ｋ（＝浴室温度−設定温度）が−１〜＋２の段階で、図１１（ａ）に示すように温度偏差Ｋに応じて循環ファン２２の風量レベルを最大風量Ａ１から最小風量Ａ５までの５段階（Ａ１＞Ａ２＞Ａ３＞Ａ４＞Ａ５）で変化させる（ステップＮ２３）。具体的には温度偏差Ｋが０のときは風量レベルをＡ２からＡ３に１段階下げ、温度偏差Ｋが＋１のときはＡ３からＡ４に１段階下げる。温度偏差Ｋが＋２のときは、Ａ４からＡ５に一段階下げる。最終的にＡ５の段階まで下げた状態で温度偏差Ｋが＋５になったときは熱動弁８を全閉状態にして空調用熱交換器３３の加熱を停止するが、この加熱停止状態でも循環ファン２２はＡ５の微風量で回転している。
【００３３】
また前記のように循環ファン２２の風量レベルを小さくしても、温度偏差Ｋが大きくなっていく場合（本例では、＋３〜＋４の段階）は、図１１（ｂ）に示すように、水比例弁１４の開度を絞ることで、ミスト噴霧温度を例えば１０℃きざみで３段階［（Ｂ１（６５℃）＞Ｂ２（５５℃）＞Ｂ３（４５℃）］で変化させる。具体的には、ミスト温サーミスタ３０からの温度レベルを見て、ミスト噴霧温度が目標レベルとなるように水比例弁１４の開度を調整する。例えば温度偏差Ｋが＋３のときは水比例弁１４の開度を絞ってミスト噴霧温度（ミスト噴出温度）をＢ１からＢ２に１段階下げ（ステップＮ２３）、温度偏差Ｋが＋４のときは同様にしてミスト噴霧温度をＢ２からＢ３に１段階下げる。さらに温度偏差Ｋが大きくなっても、Ｂ３（４５℃）のミスト噴霧は行なわれている。このように循環ファン２２の回転数制御とミスト噴霧温度の段階的制御により、浴室１０の温度の上がり過ぎ或いは下がり過ぎを極力防止できるようになる。
【００３４】
その後、タイマー時間が終了したとき（或いは停止スイッチを押したとき）は、ミストサウナ運転が終了する（図９のｔ８、ステップＮ２９）。このとき、ミストサウナ運転モードランプが消灯し、熱源機６を停止させ、給水電磁弁１７、熱動弁８、水比例弁１４をそれぞれ閉弁させる（ステップＮ３０）。
【００３５】
なおタイマー時間が終了して運転が停止したとき（図９のｔ８）は、排水電磁弁１８が約０．５秒間開いて排水パージを行なう（ステップＮ３１〜Ｎ３３）。さらに温水温度が６０以下になるまで、約２分間、圧抜き制御を行なう（ステップＮ３４、Ｎ３５）。最後に、循環ファン２２を止め、ルーバーを閉じる（ステップＮ３６）。
【００３６】
しかして、ミストサウナ運転開始時に浴室サーミスタ検出温度が低い場合のみ７０℃の高温ミストを噴霧するホットダッシュ運転モードを実行することにより、特に冬の寒い季節でも浴室１０をスピーディに温めることができ、入浴準備時間を短くできる。またホットダッシュ運転中に浴室１０に人が入った場合でも、浴室温度が低いために浴室１０内の空気にミストの熱を奪われてしまい、人体にかかるミストや水滴の温度が高くなることがなく、入浴者が熱さで不快感を感じたりする心配がない。その後、浴室温度が高くなったときはホットダッシュ運転モードが終了して本来のミストサウナ運転となり、６５℃以下の低温ミストに切り替わるので、やはり人体にかかるミストや水滴の温度が高くならず、不快感を感じることがなく、特にお年寄りにとって安心してミストサウナ浴を楽しめるようになる。つまり、ミストサウナ運転開始時にホットダッシュ運転モードを実行するかどうかを浴室サーミスタ検出温度により決定するものであるから、入浴者に熱さや不快感を感じさせることがなく、やけどの心配がないように、ミストサウナ運転開始時の浴室温度に対するミスト噴霧温度の調整を行なうので、快適で且つ安心してミストサウナ浴を楽しむことができる入浴環境を短時間で得ることができるものであり、そのうえリモコン操作でミスト噴霧温度を上げたり、下げたりする必要がないため、操作性に優れ且つ安全性を十分に確保できるものである。
【００３７】
また、ホットダッシュ運転モード中に温風Ｎを供給することで、特に冬場のようにミストサウナ運転開始時の浴室温度はかなり低くなっている場合でも、７０℃の高温ミストと温風とを利用して、浴室温度を急速に高めることができ、快適なミストサウナ空間が短時間で得られるようになる。従って、温風Ｎとミスト噴霧とを併用したミストサウナに対して有効となり、しかも浴室１０を温風Ｎにて加熱するので、少量ミストでも、浴室温度を効率良く高めることができる利点がある。
【００３８】
また本例ではホットダッシュ運転モード終了後の通常の室温制御において、浴室サーミスタ検出温度に応じて循環ファン２２の風量レベルを段階的に調節する方法と、ミスト噴霧温度を段階的に調節する方法とを採用しているので、ミストサウナ浴の途中で浴室温度が高くなり過ぎたり、低くなり過ぎたりするのを極力防止でき、ミストサウナ浴が一層快適になる利点もある。
【００３９】
本発明のミストサウナ装置は、浴室１０内に浴槽と仕切られたシャワーユニットへのミスト噴霧、或いは浴室１０とは独立したサウナ室へのミスト噴霧にも広く適用可能である。
【図面の簡単な説明】
【００４０】
【図１】本発明の一実施形態に用いるミストサウナ装置の概略構成図である。
【図２】同上のミストサウナ装置の設置例を説明する斜視図である。
【図３】同上のミストサウナ装置のミストサウナ運転状態を説明する概略構成図である。
【図４】同上の制御部の制御動作を説明するフローチャートである。
【図５】同上の制御部の制御動作を説明するフローチャートである。
【図６】同上の制御部の制御動作を説明するフローチャートである。
【図７】同上の制御部の制御動作を説明するフローチャートである。
【図８】同上の制御部の制御動作を説明するフローチャートである。
【図９】同上のタイムチャートである。
【図１０】同上の制御部に関するブロック図である。
【図１１】（ａ）（ｂ）は同上の通常の室温制御時における循環ファンの回転数制御とミスト噴霧温度制御とを、温度偏差（設定温度−浴室サーミスタ検出温度）に基づいて行なう場合の一例を示すグラフである。
【符号の説明】
【００４１】
４  制御部
６  熱源機
１０  浴室
１１  液々熱交換器
１４  水比例弁
２５  ミストサウナ装置
【図１】
2007061413.tif 000003
【図２】
2007061413.tif 000004
【図３】
2007061413.tif 000005
【図４】
2007061413.tif 000006
【図５】
2007061413.tif 000007
【図６】
2007061413.tif 000008
【図７】
2007061413.tif 000009
【図８】
2007061413.tif 000010
【図９】
2007061413.tif 000011
【図１０】
2007061413.tif 000012
【図１１】
2007061413.tif 000013